(57)【特許請求の範囲】
【請求項１】
駆動用操作手段の操作により芝刈刃を駆動して芝刈りを行う芝刈機本体に集草かごを着脱自在に取付けた芝刈機において、芝刈機本体に集草かごの取付けを検出する集草かご取付け検出手段を設け、集草かご取付け検出手段により芝刈機本体への集草かごの取付けが検出された状態で駆動用操作手段の操作により芝刈刃の駆動ができると共に集草かご取付け検出手段により芝刈機本体への集草かごの取付けが検出されない状態で駆動用操作手段の操作により芝刈刃の駆動ができないようにした芝刈機であって、芝刈機本体の上面の後端縁に立ち上がり壁を上方に向けて突設すると共に芝刈機本体の両側部の後端縁に受け部を設けて上記立ち上がり壁と受け部とで支持部を構成し、集草かごの前開口部の上縁部及び両側縁部を被支持部とし、被支持部を構成する集草かごの前開口部の上縁部を立ち上がり壁の前面側に当てると共に被支持部を構成する集草かごの前開口部の両縁部を受け部の後面に当接し、立ち上がり壁の前面に集草かごの前開口部の上縁部を上下方向の線接触で下方にガイドするためのガイド突条を突設して成ることを特徴とする芝刈機。
【請求項２】
芝刈機本体の後部に集草かご取付け検出手段となるスライド式のスイッチを設け、集草かごを芝刈機本体の後部に取付けた状態で上記スイッチを操作するためのスイッチ操作部を集草かごに設けて成ることを特徴とする請求項１記載の芝刈機。
【請求項３】
芝刈機本体の後面に芝刈刃で刈った芝を排出するための排出開口部を設け、芝刈機本体の後端部に支持部を設け、前面が開口した集草かごの前端部に被支持部を設けると共にスイッチ操作部となる突部を垂設し、集草かごの被支持部を芝刈機本体の支持部に上方からの差し込みにより着脱自在に取付けて排出開口部に集草かごの前開口部を連通させると共にスイッチ操作部の上方からの差し込みでスイッチを操作することを特徴とする請求項２記載の芝刈機。
【請求項４】
芝刈機本体の上面部の後部にスイッチ操作部を上方から差し込むための挿入孔を形成し、該挿入孔の上開口部にスイッチ操作部の挿入孔への挿入をガイドするめの誘い込み部を設けて成ることを特徴とする請求項２又は請求項３記載の芝刈機。
【請求項５】
集草かごの前端部に被支持部を設けると共にスイッチ操作部となる突出部を集草かごの前端部よりも下方に垂設し、芝刈機本体の上面の後端縁に設けた立ち上がり壁にスイッチ操作部を前後方向に通過させることができる切欠き部を形成して成ることを特徴とする請求項２乃至請求項４のいずれかに記載の芝刈機。
【請求項６】
集草かごの前端部に被支持部を設けると共にスイッチ操作部となる突出部を集草かごの前端部よりも下方に垂設し、芝刈機本体の上面の後端縁に設けた立ち上がり壁にスイッチ操作部を前後方向に通過させることができる切欠き部を形成し、芝刈機本体の上面部の切欠き部よりも前方の切欠き部対応位置に挿入孔の上開口部を設け、芝刈機本体内に取付けたスライド式のスイッチの操作釦を切欠き部よりも下方に位置させると共に操作釦の先端を挿入孔の側面から挿入孔内に一部突出させ、挿入孔に上方から挿入したスイッチ操作部により操作釦を横方向にスライド自在に操作して成ることを特徴とする請求項２乃至請求項５のいずれかに記載の芝刈機。
【発明の詳細な説明】
【技術分野】
【０００１】
本発明は、安全性の高い芝刈機に関するものである。
【背景技術】
【０００２】
従来の芝刈機は、芝刈刃を備えた芝刈機本体にハンドルを設け、この芝刈機本体に集草かごを着脱自在に取付けることで構成してあり、ハンドルのグリップ部に設けた駆動用操作手段を操作することで芝刈刃を駆動して芝刈りを行い、芝刈機本体に着脱自在に取付けた集草かごに芝を集草するようになっている。例えば特許文献１参照。
【０００３】
上記のような従来の芝刈機にあっては、芝刈機本体に集草かごを取付けていない状態でもグリップ部に設けた駆動用操作手段を操作すると芝刈刃が駆動されるものであり、このため、集草かごを取付けないまま芝刈り作業を行うおそれがあり、刈り取った芝が作業者側に飛散してしまうという問題があった。
【０００４】
また、上記のように集草かごを取付けない状態で、誤って駆動用操作手段を操作すると芝刈刃が駆動し、安全性の点で十分であるとはいえなかった。
【特許文献１】特開２００４−１５９６２２号公報
【発明の開示】
【発明が解決しようとする課題】
【０００５】
本発明は上記の従来の問題点に鑑みて発明したものであって、集草かごを取付けない状態では駆動用操作手段を操作しても芝刈刃が駆動せず、集草かごを取付けた状態で駆動操作手段を操作して芝刈刃を駆動させることができて、刈り取った芝が飛散せず、また、安全性を向上でき、また、集草かごの取付けが容易に行え、更に、スライド式のスイッチに指等が触れることができないようにした芝刈機を提供することを課題とするものである。
【課題を解決するための手段】
【０００６】
上記課題を解決するために本発明に係る芝刈機は、駆動用操作手段８の操作により芝刈刃２を駆動して芝刈りを行う芝刈機本体３に集草かご５を着脱自在に取付けた芝刈機６において、芝刈機本体３に集草かご５の取付けを検出する集草かご取付け検出手段９を設け、集草かご取付け検出手段９により芝刈機本体３への集草かご５の取付けが検出された状態で駆動用操作手段８の操作により芝刈刃２の駆動ができると共に集草かご取付け検出手段９により芝刈機本体３への集草かご５の取付けが検出されない状態で駆動用操作手段８の操作により芝刈刃２の駆動ができないようにした芝刈機であって、芝刈機本体３の上面の後端縁に立ち上がり壁４７を上方に向けて突設すると共に芝刈機本体３の両側部の後端縁に受け部５１を設けて上記立ち上がり壁４７と受け部５１とで支持部７を構成し、集草かご５の前開口部１３の上縁部及び両側縁部を被支持部５９とし、被支持部５９を構成する集草かご５の前開口部１３の上縁部を立ち上がり壁４７の前面側に当てると共に被支持部５９を構成する集草かご５の前開口部１３の両縁部を受け部５１の後面に当接し、立ち上がり壁４７の前面に集草かご５の前開口部１３の上縁部を上下方向の線接触で下方にガイドするためのガイド突条４７ａを突設して成ることを特徴とするものである。
【０００７】
このような構成とすることで、集草かご５を芝刈機本体３に取付けていない状態では、駆動用操作手段８の操作により芝刈刃２の駆動ができず、安全性が高く、また、刈り取った芝が飛散したりしないものである。また、集草かご５を上方から差し込んで集草かご５の前開口部１３の上縁部を立ち上がり壁４７の前面側に当てると共に被支持部を構成する集草かご５の前開口部１３の両縁部を受け部５１の後面に当接させる場合、集草かご５の前開口部１３の上縁部は立ち上がり壁４７の前面上部に当たった状態で摩擦が大きいので、途中で引っ掛かったままの状態となるおそれがあるが、立ち上がり壁４７の前面に設けたガイド突条４７ａをガイドとして集草かご５の前開口部１３の上縁部を上下方向の線接触で接触させ、途中で引っ掛かることなく自重でスムーズに正規の取付け位置まで下降させて取付けることができる。
【０００８】
また、芝刈機本体３の後部に集草かご取付け検出手段９となるスライド式のスイッチ６０を設け、集草かご５を芝刈機本体３の後部に取付けた状態で上記スイッチ６０を操作するためのスイッチ操作部５８を集草かご５に設けることが好ましい。
【０００９】
このような構成とすることで、集草かご５を芝刈機本体３に取付けた状態で、スイッチ操作部５８によりスライド式のスイッチ６０を操作でき、簡単な構成で集草かご５の取付けを検出できる。
【００１０】
また、芝刈機本体３の後面に芝刈刃２で刈った芝を排出するための排出開口部１２を設け、芝刈機本体３の後端部に支持部７を設け、前面が開口した集草かご５の前端部に被支持部５９を設けると共にスイッチ操作部５８となる突出部５８ａを垂設し、集草かご５の被支持部５９を芝刈機本体３の支持部７に上方からの差し込みにより着脱自在に取付けて排出開口部１２に集草かご５の前開口部１３を連通させると共にスイッチ操作部５８の上方からの差し込みでスイッチ６０を操作することが好ましい。
【００１１】
このような構成とすることで、集草かご５を上方からの差し込みにより芝刈機本体３の後部に取付けると共に該集草かご５の上方からの差し込みによりスイッチ操作部５８を上方から差し込んでスイッチ６０を操作することができるので、簡単な構成で集草かご５の上方からの差し込みにより同時に集草かご５の取付けを検知することができる。
【００１４】
また、芝刈機本体３の上面部の後部にスイッチ操作部５８を上方から差し込むための挿入孔５０を形成し、該挿入孔５０の上開口部にスイッチ操作部５８の挿入孔５０への挿入をガイドするめの誘い込み部４５を設けることが好ましい。
【００１５】
このような構成とすることで、集草かご５を上方から差し込んで集草かご５を芝刈機本体３に取付けるに当たって、誘い込み部４５によりスイッチ操作部５８を誘い込んでスムーズに挿入孔５０に挿入することができる。
【００１６】
また、集草かご５の前端部に被支持部５９を設けると共にスイッチ操作部５８となる突出部５８ａを集かご５の前端部よりも下方に垂設し、芝刈機本体３の上面の後端縁に設けた立ち上がり壁４７にスイッチ操作部５８を前後方向に通過させることができる切欠き部４８を形成することが好ましい。
【００１７】
このような構成とすることで、集草かご５を上方からの差し込みで芝刈機本体３に取付ける際に同時にスイッチ操作部５８となる突出部５８ａを上方から差し込んでスイッチ６０を操作するに当たって、集かご５の前端部よりも下方に垂設した突部を切欠き部４８から前方に差し込んだ状態で下方に差し込むことで簡単に上方からの差し込みでスイッチ６０を操作することができる。
【００１８】
また、集草かご５の前端部に被支持部５９を設けると共にスイッチ操作部５８となる突出部５８ａを集かご５の前端部よりも下方に垂設し、芝刈機本体３の上面の後端縁に設けた立ち上がり壁４７にスイッチ操作部５８を前後方向に通過させることができる切欠き部４８を形成し、芝刈機本体３の上面部の切欠き部４８よりも前方の切欠き部対応位置に挿入孔５０の上開口部を設け、芝刈機本体３内に取付けたスライド式のスイッチ６０の操作釦６１を切欠き部よりも下方に位置させると共に操作釦６１の先端を挿入孔５０の側面から挿入孔５０内に一部突出させ、挿入孔５０に上方から挿入したスイッチ操作部５８により操作釦６１を横方向にスライド自在に操作するように構成することが好ましい。
【００１９】
このような構成とすることで、切欠き部４８から指や異物が挿入されて操作釦６１を誤って操作するというようなおそれがない。
【発明の効果】
【００２０】
本発明は、集草かごを取付けない状態では駆動用操作手段を操作しても芝刈刃が駆動せず、集草かごを取付けた状態で駆動操作手段を操作して芝刈刃を駆動させることができて、刈り取った芝が飛散せず、また、安全性を向上できる。また、立ち上がり壁の前面に設けたガイド突条をガイドとして集草かごの前開口部の上縁部を上下方向の線接触で接触させ、途中で引っ掛かることなく自重でスムーズに正規の取付け位置まで下降させて取付けることができる。
【発明を実施するための最良の形態】
【００２１】
以下、本発明を添付図面に示す実施形態に基いて説明する。
【００２２】
芝刈機６は、図１乃至図４に示すように、車輪１と芝刈刃２を備えた芝刈機本体３にハンドル４を回動自在に設けると共に集草かご５を着脱自在に取付けて構成してある。
【００２３】
芝刈機本体３は内部にフレーム１４が設けてあり、このフレーム１４に車輪１が取付けてある。車輪１としては前車輪１ａと後車輪１ｂとがあり、前車輪１ａは後車輪１ｂよりも大径であって芝刈機本体３の前部の両側部に設けてある。後車輪１ｂはローラにより構成してあって芝刈機本体３の後部に設けてある。
【００２４】
芝刈刃２はフレーム１４に回転自在に取付けられたリール刃２ａと、フレーム１４に固定された固定刃２ｂとで構成してある。
【００２５】
フレーム１４にはモータ１６が固定してあり、モータ１６に固定した小プーリ１７と、フレーム１４に回転自在に取付けた中間プーリ１８とにベルト１９が掛け回してあり、更に、中間プーリ１８とリール刃２ａの端部に固定した大プーリ２０とにベルト２１が掛け回してあり、モータ１６の回転を小プーリ１７、ベルト１９、中間プーリ１８、大プーリ２０を介してリール刃２ａに伝達して回転するようになっている。
【００２６】
芝刈機本体３の前部には図３に示すように上下に開口する上部又は全体が筒状をした挿入部２２が設けてあり、この挿入部２２の上端開口部に軸支部２３が設けてあり、回転体２４の下部を上記挿入部２２内に挿入して上記軸支部２３に回転自在に軸支してある。回転体２４の上部は挿入部２２の上端開口部より芝刈機本体３の前部上面側に突出している。回転体２４の上部は手で掴んで回転操作するための操作摘み部２５となっており、下部は外周に雄ねじを刻設した雄ねじ部２６となっており、操作摘み部２５の下面部と雄ねじ部２６の上面部とで軸支部２３を回転自在に上下方向から挟持することで回転体２４が上記軸支部２３に回転自在に軸支してある。挿入部２２内の下部には内周に雌ねじ部２７ａを設けた上下移動筒体２７は挿入部２２に対して回転はできないが上下移動はできるように挿入してあって、雌ねじ部２７ａが回転体２４の雄ねじ部２６に螺合してある。
【００２７】
図３、図８に示すように、上下移動筒体２７の下面側には前後方向に隙間２９を介して対向する二対のリブ２８が下方に向けて垂設してあり、二対のリブ２８の下面間に架け渡すように下プレート３０をねじにより固定してある。
【００２８】
図４、図８に示すように、フレーム１４には芝刈機本体３の前部の左右に位置するフレーム１４に設けた軸受け部となる孔に中間部がコ字状に突曲したクランク軸３１の両端部を回転自在に嵌挿してあり、該クランク軸３１の中間部のコ字状に屈曲した先端の中間軸部３１ａが上記上下移動筒体２７の隙間２９に上下方向には移動しないが回転自在且つ前後方向に移動自在に挿入してある。
【００２９】
図２、図８に示すように、上記クランク軸３１の両端部にはそれぞれ車輪取付け板３２の一端部が固定してあり、該車輪取付け板３２の他端部に前車輪１ａの中心に設けた回転軸３３が回転自在に取付けある。
【００３０】
ここで操作摘み部２５を回転操作して回転体２４を回転すると雄ねじ部２６に雌ねじ部２７ａを螺合した上下移動筒体２７が上下方向に移動する。この上下移動筒体２７の上下移動に連動してクランク軸３１の中間軸部３１ａが上下方向に移動しながら隙間２９内を前後方向に移動する。この中間軸部３１ａの動きはクランク軸３１のフレーム１４の軸受け部を中心にした回転運動であり、このため、クランク軸３１はフレーム１４の軸受け部を中心に回動する。クランク軸３１の回動により車輪取付け板３２が回動し、車輪取付け板３２の他端部が回転中心となった前車輪１ａがクランク軸３１の端部を回転中心として回動することで、前車輪１ａの上下高さが調整されることになる。
【００３１】
前車輪１ａ、リール刃２ａ、後車輪１ｂはいずれも外周部の一部が芝刈機本体３の下開口部３４より下方に突出している。リール刃２ａの外周下端は前車輪１ａの外周下端と後車輪１ｂの外周下端とを結ぶ線よりもやや上に位置しており、この条件を満たしながら前車輪１ａを上記のように上下高さ調整を行うことで、リール刃２ａの接地面１５からの高さ、つまり芝の刈り高さを調整するようになっている。
【００３２】
図２に示すように、芝刈機本体３の後部の上部にはハンドル４の下端部が回動自在に取付けてある。ハンドル４は、図１に示すように、棒状をした一対のアーム部３５の上端を上横バー部３６により連結し、更に、上横バー部３６の両端部上面部にコ字状をしたグリップ部３７の両端部を連結部３７ａで連結し、グリップ部３７にはグリップ部３７に対して上下方向に移動自在にスイッチハンドル３９を重ねて取付け、更に、一対のアーム部３５の上部間（上横バー部３６よりもやや下方位置）にハンドルステー３８を架設して構成してある。上記スイッチハンドル３９はモータ１６をオン、オフするためのスイッチ（図示せず）を操作する駆動用操作手段８を構成している。
【００３３】
ハンドル４の一対のアーム部３５の下端には軸部４０が設けてあり、芝刈機本体３の後部の両側上部に設けた軸受け部４１に上記一対のアーム部３５の下端の軸部４０を回動自在に取付けてある。
【００３４】
芝刈機本体３の後面に図５に示すように芝刈刃２で刈った芝を排出するための排出開口部１２を設けてある。芝刈機本体３の後面には前面側が開口した集草かご５が着脱自在に取付けられるようになっている。
【００３５】
芝刈機本体３の上面部の後端縁には図１、図３、図５、図６に示すように上方に向けて立ち上がり壁４７が突設してあり、この立ち上がり壁４７は芝刈機本体３の左右方向の中間部において切欠き部４８が形成してあり、立ち上がり壁４７の前面の左右方向の複数箇所に集草かご５の前開口部１３の上縁部を上下方向の線接触で下方にガイドするための上下方向に長い線状をしたガイド突条４７ａが突設してある。
【００３６】
また、芝刈機本体３の上面部の左右方向の中間部の上記立ち上がり壁４７よりも少し前位置に切欠き部４８の左右巾よりも巾広の突部４９が上方に向けて突設してある。上記切欠き部４８と対向する突部４９の後面との間に挿入孔５０が形成してある。ここで突部４９の後部中央には挿入孔５０の上開口の前半部に上下方向に連通する上下及び後方に開口した凹所５０ａとなっており、凹所５０ａの両側及び前内面はそれぞれ上方に行くほど外側となるように傾斜した傾斜面よりなる誘い込み部４５となっている。
【００３７】
芝刈機本体３の内部の後上部には図７に示すように集草かご取付け検出手段９を構成するためのスイッチ６０が設けてあり、スイッチ６０の左右方向の側部にはスイッチ６０をオン、オフさせる操作釦６１が前後方向にスライド自在に設けてある。操作釦６１の後端が上記挿入孔５０内に突出するようにばね６２によりばね力が付与してある。
【００３８】
図１０（ｂ）に示すように、操作釦６１の後端の挿入孔５０への突出位置は上記切欠き部４８よりも下方に位置していて、切欠き部４８から指を入れても操作釦６１を操作できないようになっている。しかも、スイッチ６０は挿入孔５０に直接面していないので、挿入孔５０からごみ等の異物がスイッチ６０に侵入し難いようになっている。
【００３９】
上記スイッチ６０はスイッチハンドル３９によりオン、オフ操作されるモータ１６の電源回路の途中に設けてあって、スイッチ６０がオフの場合は電源回路に給電されず、スイッチハンドル３９を操作してもモータ１６が駆動できないようになっており、一方、スイッチ６０がオンの場合は電源回路に給電され、スイッチハンドル３９を操作することでモータ１６を駆動できるようになっている。
【００４０】
集草かご５は図１、図１１に示すようにかご枠５２に変形性を有する袋６５を取付けて構成してある。かご枠５２は線材により形成してあり、矩形状をした上枠部５４の前端部の両端部から下方に向けて側枠部５５を突出し、両側枠部５５の下端から前方に向けて略コ字状をした下枠部５６を突出して構成してある。上枠部５４の前枠部５４ａの左右方向の中央部には把手５７が取付けてあり、把手５７に下方に向けて突出部５８ａが突設してあり、この突出部５８ａは前枠部５４ａよりも下方に突出している。かご枠５２に袋６５を取付けるには、前方が開口した袋６５の上面を矩形状の上枠部５４に取付け、更に、袋６５の前開口部１３の左右の側縁部、下縁部をそれぞれ左右の側枠部５５、下枠部５６にそれぞれ取付けてある。したがって、袋６５の後面、側面、下面は一部しかかご枠５２に取付けてないので、上枠部５４が上となるような姿勢では自重で垂れ下がるため袋を広げた状態となるが、外力を加えて袋６５の後面、側面、下面をかご枠５２側に重ねるように折り畳むことができるようになってなっている。
【００４１】
図２、図３に示すように、芝刈機本体３の後部に集草かご５を着脱自在に取付けた状態で、ハンドル４のグリップ部３７を手で掴んで押しながら芝刈機６を移動させると共にスイッチハンドル３９を操作してモータ１６を駆動して芝刈刃２により芝刈りを行い、芝刈刃２で刈り取った芝は排出開口部１２から集草かご５内に溜められるようになっている。
【００４２】
ここで、使用時に芝刈機本体３の後部に集草かご５を着脱自在に取付けるには、集草かご５の突出部５８ａを挿入孔５０に上方より挿入係止すると共に前枠部５４ａを立ち上がり壁４７と突部４９との間に嵌め込んで係止し、更に、左右の側枠部５５を芝刈機本体３の後面の左右両端部の受け部５１に嵌め込んで係止することで、排出開口部１２に前開口部１３を連通させるように集草かご５を取付ける。突出部５８ａを挿入孔５０に上方から挿入係止するに当たっては、突出部５８ａの下端部を突部４９の後部中央に設けた凹所５０ａに挿入して誘い込み部４５をガイドとして突出部５８ａを挿入孔５０に上方から挿入することができる。この場合、突出部５８ａを凹所５０ａに上方から直接差し込んでもよいが、立ち上がり壁４７の突部４９の後面部に対向する位置に切欠き部４８が設けてあるので、図９の矢印に示すように突出部５８ａを上記切欠き部４８から前方に差しこむようにして突出部５８ａを凹所５０ａに挿入し、この状態で下方に落とし込むようにすることで、上記誘い込み部４５にガイドされて挿入孔５０により一層スムーズに挿入することができる。
【００４３】
上記のようにして集草かご５に設けた前枠部５４ａ、左右両側枠部５５、突出部５８ａよりなる被支持部５９を、芝刈機本体３に設けた挿入孔５０、立ち上がり壁４７、突部４９、受け部５１等よりなる支持部７に着脱自在に取付けるのであるが、突部４９が挿入孔５０に挿入されると図３、図１０（ａ）に示すように操作釦６１が押され、スイッチ６０がオンになって、集草かご５の芝刈機本体３への取付けが検知され、このようにスイッチ６０がオンになることで集草かご５の取付けが検知された場合にスイッチハンドル３９を操作してモータ１６が駆動できる状態となっている。したがって、芝刈機本体３から集草かご５を取外した状態や、支持部７に被支持部５９を正しく取付けて芝刈機本体３に集草かご５が正しく取付けてない状態では、スイッチハンドル３９を操作してもモータ１６を駆動できないようになっていて、安全性を確保している。
【００４４】
ところで、上記のように集草かご５の突出部５８ａを挿入孔５０に上方より挿入係止すると共に前枠部５４ａを立ち上がり壁４７と突部４９との間に嵌め込んで係止し、更に、左右の側枠部５５を芝刈機本体３の後面の左右両端部の受け部５１に嵌め込んで係止することで、集草かご５を上方からの差し込みにより芝刈機本体３に取付けるのであるが、立ち上がり壁４７の前面の上下方向の途中に集草かご５の左右に長い前枠部５４ａが係止されたまま非正規取付け状態で取付けられる場合がる。これは、立ち上がり壁４７の前面に沿って集草かご５の左右に長い前枠部５４ａを落とし込む際に、前枠部５４ａが左右に長いため、立ち上がり壁４７の前面との摩擦抵抗が大きくて、下方への落とし込みの途中で止まってしまい、使用者にはあたかも正規の取付け状態であるかのように感じさせてしまい、そのまま、使用されるおそれがある。したがって、本発明においては、突出部５８ａが正規の挿入状態でないと上記のように操作釦６１を押せないように構成してあり、したがって、集草かご５を正規の状態で正しく取付けてない場合は、スイッチハンドル３９を操作してもモータ１６を駆動できないようになっていて、安全性を確保している。
【００４５】
また、本発明においては、立ち上がり壁４７の前面に集草かご５の前開口部１３の上縁部を上下方向の線接触で下方にガイドするためのガイド突条４７ａを突設してあるので、ガイド突条４７ａをガイドとして集草かご５の前開口部１３の上縁部を上下方向の線接触で接触させ、途中で引っ掛かることなく自重でスムーズに正規の取付け位置まで下降させて取付けることができるようになっている。
【図面の簡単な説明】
【００４６】
【図１】本発明の芝刈機の分解斜視図である。
【図２】同上の一部破断した側面図である。
【図３】同上の側断面図である。
【図４】同上の下面図である。
【図５】同上の集草かごを取外した状態の背面図である。
【図６】同上の集草かごを取外した状態の平面図である。
【図７】同上の要部の平断面図である。
【図８】同上の芝刈機本体の分解斜視図である。
【図９】同上の集草かごの取付けを示す斜視図である。
【図１０】（ａ）は同上の集草かごを取付けた状態を示す要部断面図であり、（ｂ）は集草かごを取外した状態の要部断面図である。
【図１１】同上に用いる集草かごを示し、（ａ）は平面図であり、（ｂ）は側面図である。
【符号の説明】
【００４７】
１  車輪
２  芝刈刃
３  芝刈機本体
５  集草かご
６  芝刈機
７  支持部
８  駆動用操作手段
９  取付け検出手段
１２  排出開口部
１３  前開口部
４７  立ち上がり壁
４７ａ  ガイド突条
４８  切欠き部
５０  挿入孔
５８  スイッチ操作部
５８ａ  突出部
５９  被支持部
６０  スイッチ
６１  操作釦
【図１】
0004497079.tif 000002
【図２】
0004497079.tif 000003
【図３】
0004497079.tif 000004
【図４】
0004497079.tif 000005
【図５】
0004497079.tif 000006
【図６】
0004497079.tif 000007
【図７】
0004497079.tif 000008
【図８】
0004497079.tif 000009
【図９】
0004497079.tif 000010
【図１０】
0004497079.tif 000011
【図１１】
0004497079.tif 000012